(57)【特許請求の範囲】
【請求項１】
複数本の並列したコードをゴム被覆してなるリボン材を、周方向に沿って巻き付けてベルト補助層を形成する空気入りタイヤの製造方法において、
一方のベルト端部からベルト中央部にわたる領域に、第１のリボン材をらせん状に巻き付ける第１の巻き付け工程と、
他方のベルト端部からベルト中央部にわたる領域に、第２のリボン材を前記第１のリボン材と逆向きのらせん状に巻き付け、ベルト中心線に関して前記第１のリボン材と略対称に配する第２の巻き付け工程とを備え、
前記第１の巻き付け工程及び前記第２の巻き付け工程は、それぞれ、ベルト端部近傍で前記リボン材を重ねながら巻き付ける密巻きとしつつ、前記密巻きする領域のベルト中央部側端を、ベルト中心線からベルト端部に向かってベルト半幅の５０〜９０％の位置に配し、
前記第１の巻き付け工程にて前記第１のリボン材の巻き付け始端と巻き付け終端とを９０〜２７０°ずらすとともに、前記第２の巻き付け工程にて前記第２のリボン材の巻き付け始端と巻き付け終端とを９０〜２７０°ずらし、
前記第１のリボン材及び前記第２のリボン材の巻き付け始端と巻き付け終端とを、それぞれ円周面上の異なる象限に配することを特徴とする空気入りタイヤの製造方法。
【請求項２】
前記第１のリボン材及び前記第２のリボン材の巻き付け始端と巻き付け終端とのずらし角が略９０°である請求項１記載の空気入りタイヤの製造方法。
【請求項３】
前記第１のリボン材及び前記第２のリボン材のベルト端部近傍の巻き付け端を含む２周分を、それぞれ周方向に平行に巻き付ける請求項１または２に記載の空気入りタイヤの製造方法。
【請求項４】
前記第１の巻き付け工程と前記第２の巻き付け工程とを単一の巻き付け装置を用いて行う請求項１〜３いずれか１項に記載の空気入りタイヤの製造方法。
【請求項５】
一対のビードの間に架け渡されるように配されたカーカス層と、前記カーカス層のクラウン部の外周側に配されたベルト層と、前記ベルト層の外周側に配され、複数本の並列したコードをゴム被覆してなるリボン材をタイヤ周方向に沿って巻き付けてなるベルト補助層とを備える空気入りタイヤにおいて、
前記リボン材が、一方のベルト端部からベルト中央部にわたる領域にらせん状に巻き付けられた第１のリボン材と、他方のベルト端部からベルト中央部にわたる領域に前記第１のリボン材と逆向きのらせん状に巻き付けられ、ベルト中心線に関して前記第１のリボン材と略対称に配された第２のリボン材とからなり、
前記第１のリボン材及び前記第２のリボン材が、それぞれ、ベルト端部近傍で前記リボン材を重ねながら巻き付ける密巻きにされつつ、前記密巻きされた領域のベルト中央部側端が、ベルト中心線からベルト端部に向かってベルト半幅の５０〜９０％の位置に配され、
前記第１のリボン材及び前記第２のリボン材は、各々の巻き付け始端と巻き付け終端とが９０〜２７０°ずらされており、前記第１のリボン材及び前記第２のリボン材の巻き付け始端と巻き付け終端とが、それぞれ円周面上の異なる象限に配されたことを特徴とする空気入りタイヤ。
【発明の詳細な説明】
【技術分野】
【０００１】
本発明は、複数本の並列したコードをゴム被覆してなるリボン材を周方向に沿って巻き付けることでベルト補助層を形成する空気入りタイヤの製造方法、及び、該ベルト補助層をベルト層の外周側に備えてなる空気入りタイヤに関するものである。
【背景技術】
【０００２】
ベルト層は、例えば、タイヤ周方向に対して傾斜して延びるスチールコードにより構成されたベルトを、該スチールコードが互いに逆向きに交差するように２枚積層してなり、このベルト層がカーカス層のクラウン部外周に配されることで、たが効果による補強が行われる。ベルト層の外周側には、タイヤ周方向に延びるコードを備えたベルト補助層が配設される場合があり、これにより上記たが効果を補強して高速耐久性等を向上することができる。
【０００３】
従来、ベルト補助層を形成するにあたり、複数本の並列したコードをゴム被覆してなるリボン材を、周方向に沿って巻き付ける方法が用いられている。例えば下記特許文献１〜３には、１本の連続したリボン材を周方向に沿ってらせん状に巻き付けて、ベルト補助層を形成する方法が記載されている。また、下記特許文献４及び５には、２本の独立したリボン材を周方向に沿って互いに逆向きのらせん状に巻き付けて、ベルト補助層を形成する方法が記載されている。上記の方法はいずれも、高速走行時のベルト端部のせり上がり抑制を目的として、各リボン材がベルト端部近傍で折り返し積層されて２層構造をなしている。
【０００４】
ところが、下記特許文献１〜３に記載された方法では、リボン材が一方向のらせん状に巻き付けられることにより、ベルト補助層の締付けベクトルが片側に偏ってしまうという問題があった。そのため、加硫用モールドにセットしたグリーンタイヤを、モールド内周に密着させるために内圧をかけて膨らませた時（加硫リフト時）に、ベルト層の左右のバランスが崩れてしまい、タイヤのユニフォミティ、特にＬＦＶ（ラテラルフォースバリエーション）に悪影響を及ぼしていた。
【０００５】
上記ユニフォミティの問題については、ベルト補助層の締付けベクトルの左右のバランスを確保することが大変重要となってくるが、下記特許文献４及び５に記載された方法はそのことを開示するものではなく、２本のリボン材を互いに逆向きのらせん状に巻き付けるだけでは、タイヤのユニフォミティが十分に改善されない場合があった。
【特許文献１】実開平３−５５０３号公報
【特許文献２】特公平６−５５５６２号公報
【特許文献３】特開平１１−１０５１５２号公報
【特許文献４】特開平９−２３９８６３号公報
【特許文献５】特開平２−６７１２３号公報
【発明の開示】
【発明が解決しようとする課題】
【０００６】
本発明は上記実情に鑑みてなされたものであり、その目的は、タイヤのユニフォミティを向上することができる空気入りタイヤの製造方法及び空気入りタイヤを提供することにある。
【課題を解決するための手段】
【０００７】
上記目的は、下記の如き本発明により達成することができる。即ち、本発明に係る空気入りタイヤの製造方法は、複数本の並列したコードをゴム被覆してなるリボン材を、周方向に沿って巻き付けてベルト補助層を形成する空気入りタイヤの製造方法において、一方のベルト端部からベルト中央部にわたる領域に、第１のリボン材をらせん状に巻き付ける第１の巻き付け工程と、他方のベルト端部からベルト中央部にわたる領域に、第２のリボン材を前記第１のリボン材と逆向きのらせん状に巻き付け、ベルト中心線に関して前記第１のリボン材と略対称に配する第２の巻き付け工程とを備え、前記第１の巻き付け工程及び前記第２の巻き付け工程は、それぞれ、ベルト端部近傍で前記リボン材を重ねながら巻き付ける密巻きとしつつ、前記密巻きする領域のベルト中央部側端を、ベルト中心線からベルト端部に向かってベルト半幅の５０〜９０％の位置に配し、前記第１の巻き付け工程にて前記第１のリボン材の巻き付け始端と巻き付け終端とを９０〜２７０°ずらすとともに、前記第２の巻き付け工程にて前記第２のリボン材の巻き付け始端と巻き付け終端とを９０〜２７０°ずらし、前記第１のリボン材及び前記第２のリボン材の巻き付け始端と巻き付け終端とを、それぞれ円周面上の異なる象限に配するものである。
【０００８】
本発明に係る空気入りタイヤの製造方法によれば、ベルト補助層を構成する第１のリボン材と第２のリボン材とが互いに逆向きのらせん状に巻き付けられており、しかもベルト中心線に関して略対称に配されることにより、ベルト補助層の締付けベクトルの左右のバランスが確保され、加硫リフト時にベルト層の左右のバランスが崩れることがない。更に、ベルト端部近傍では、リボン材を重ねながら巻き付ける密巻きとすることにより、高速走行時のベルト端部のせり上がりを抑制しながら、従来のように折り返し積層する場合に比べてリボン材をより正確に対称的に配することができ、上述の効果と併せてタイヤのユニフォミティを効果的に向上することができる。そして、本発明では、上記のようにリボン材を対称的に巻き付けた場合において、密巻きする領域のベルト中央部側端を、ベルト中心線からベルト端部に向かってベルト半幅の５０〜９０％の位置に配することにより、ベルト端部のせり上がりを好適に抑制しつつ、タイヤのユニフォミティをより効果的に向上することができる。
【００１０】
本発明では、第１のリボン材と第２のリボン材とが巻き付けられる円周面上に、各リボン材の巻き付け始端及び巻き付け終端からなる４つの巻き付け端が配される。そこで、上記のように、各リボン材の巻き付け始端と巻き付け終端とを９０〜２７０°ずらし、それら４つの巻き付け端をそれぞれ円周面上の異なる象限に配することにより、各巻き付け端が周方向で偏在することなく略均等に配される。その結果、タイヤのユニフォミティ、特にＲＦＶ（ラジアルフォースバリエーション）を効果的に向上することができる。
【００１１】
上記においては、前記第１のリボン材及び前記第２のリボン材の巻き付け始端と巻き付け終端とのずらし角が略９０°であるものが好ましく、これにより各巻き付け端を円周面上でより均等に配することができ、タイヤのユニフォミティをより効果的に向上することができる。
【００１２】
上記において、前記第１のリボン材及び前記第２のリボン材のベルト端部近傍の巻き付け端を含む２周分を、それぞれ周方向に平行に巻き付けるものが好ましい。かかる構成によれば、従来のようにリボン材を折り返し積層することなく、ベルト端部のせり上がりを効果的に抑制することができる。
【００１３】
上記において、前記第１の巻き付け工程と前記第２の巻き付け工程とを単一の巻き付け装置を用いて行うものが好ましい。上記特許文献４及び５に記載された方法は、巻き付け時間の短縮を目的として同時に２本のリボン材を用いるものであるため、リボン材を巻き付けるための巻き付け装置を２台使用し、それらを略同時に且つ互いに逆方向に移動させる必要がある。ところが、かかる場合には、各巻き付け装置が独立した駆動系を有することなどに起因して、各リボン材を同一のテンションで巻き付けるのが困難となり、ベルト補助層の締付けベクトルの左右のバランスを確保し難くなる。そこで、本発明の上記構成によれば、各リボン材を同一のテンションで巻き付けることができ、タイヤのユニフォミティをより効果的に向上することができる。
【００１４】
また、本発明に係る空気入りタイヤは、一対のビードの間に架け渡されるように配されたカーカス層と、前記カーカス層のクラウン部の外周側に配されたベルト層と、前記ベルト層の外周側に配され、複数本の並列したコードをゴム被覆してなるリボン材をタイヤ周方向に沿って巻き付けてなるベルト補助層とを備える空気入りタイヤにおいて、前記リボン材が、一方のベルト端部からベルト中央部にわたる領域にらせん状に巻き付けられた第１のリボン材と、他方のベルト端部からベルト中央部にわたる領域に前記第１のリボン材と逆向きのらせん状に巻き付けられ、ベルト中心線に関して前記第１のリボン材と略対称に配された第２のリボン材とからなり、前記第１のリボン材及び前記第２のリボン材が、それぞれ、ベルト端部近傍で前記リボン材を重ねながら巻き付ける密巻きにされつつ、前記密巻きされた領域のベルト中央部側端が、ベルト中心線からベルト端部に向かってベルト半幅の５０〜９０％の位置に配され、前記第１のリボン材及び前記第２のリボン材は、各々の巻き付け始端と巻き付け終端とが９０〜２７０°ずらされており、前記第１のリボン材及び前記第２のリボン材の巻き付け始端と巻き付け終端とが、それぞれ円周面上の異なる象限に配されたものである。
【００１５】
本発明に係る空気入りタイヤによれば、ベルト補助層を構成する第１のリボン材と第２のリボン材とが互いに逆向きのらせん状に巻き付けられて、ベルト中心線に関して略対称に配されているため、ベルト補助層の締付けベクトルの左右のバランスが確保されており、それによってベルト層の左右のバランスが確保されている。しかも、ベルト端部近傍では、リボン材を重ねながら巻き付ける密巻きにされていることにより、高速走行時のベルト端部のせり上がりを抑制しながら、従来のように折り返し積層する場合に比べてリボン材がより正確に対称的に配されうるため、上述の効果と併せてタイヤのユニフォミティを効果的に向上することができる。そして、上記のようにリボン材が対称的に巻き付けられるとともに、密巻きする領域のベルト中央部側端が、ベルト中心線からベルト端部に向かってベルト半幅の５０〜９０％の位置に配されていることにより、ベルト端部のせり上がりを好適に抑制しつつ、タイヤのユニフォミティがより良好となる。
【００１７】
本発明では、上述のように、各リボン材が巻き付けられた円周面上に４つの巻き付け端が配される。上記構成によれば、各リボン材の巻き付け始端と巻き付け終端とが９０〜２７０°ずらされており、それら４つの巻き付け端がそれぞれ円周面上の異なる象限に配されていることにより、各巻き付け端がタイヤ周方向で偏在することなく略均等に配される。その結果、タイヤのユニフォミティ、特にＲＦＶがより良好となる。
【発明を実施するための最良の形態】
【００１８】
以下、本発明の実施の形態について図面を参照しながら説明する。図１は、本発明により製造される空気入りタイヤの一例を示す子午線断面図である。図２は、ベルト補助層を構成するリボン材の断面図である。なお、本発明により製造される空気入りタイヤの構造はこれに限られるものではない。
【００１９】
この空気入りタイヤは、一対のビード部１と、ビード部１から各々タイヤ径方向外側に延びるサイドウォール部２と、サイドウォール部２の各々の外周側端に連なるトレッド部３とを備える。ビード部１には、鋼線等の収束体をゴム被覆してなる環状のビード１ａと、ビード１ａのタイヤ径方向外側に配され、断面略三角形状をなす硬質ゴムからなるビードフィラー１ｂとが配設されている。
【００２０】
カーカス層４は、タイヤ赤道線Ｃに対して略９０°の角度で配列された複数本のコードがゴム被覆されてなる少なくとも１枚のカーカスプライ９から構成される。カーカスプライ９は、一対のビード１ａの間に架け渡されるように配され、その端部はビード１ａを介して外側に巻き返された状態で係止されている。カーカスプライ９を構成するコードとしては、特に限られるものではないが、スチールやポリエステル、ナイロン、アラミド等の有機系繊維等が好適に使用される。後述するベルト６ａ、６ｂ及びリボン材Ｓを構成するコードについても同様である。
【００２１】
カーカス層４の内周には、空気圧保持のためのインナーライナー層５が配されている。また、カーカス層４のクラウン部の外周には、たが効果による補強を行うベルト層６が配されている。ベルト層６は、内外に積層された２枚のベルト６ａ、６ｂから構成され、ベルト中心線Ｂがタイヤ赤道線Ｃに略重なるように配置されている。トレッド部３の外周側表面には、トレッドゴム８が配されている。
【００２２】
ベルト層６の外周には、たが効果を補強するためのベルト補助層７が配されている。ベルト補助層７は、長尺のリボン材Ｓをタイヤ周方向に沿ってらせん状に巻き付けて形成されており、リボン材Ｓは、図２に示すように長手方向に延びて並列した複数本のコード１０を未加硫ゴムにより被覆してなる。なお、リボン材Ｓの厚みや幅、断面形状は特に限定されず、１リボン材中のコード本数は例えば５〜１５本である。
【００２３】
次に、上記の空気入りタイヤを製造する方法について説明するが、本発明に係る空気入りタイヤの製造方法は、ベルト補助層の形成に関する工程以外は、従来のタイヤ製造工程と同様にして行うことができるため、ベルト補助層の形成を中心に説明する。図３及び４は、本発明に係る空気入りタイヤの製造方法を説明する正面図である。図５は、図４に示す成形ドラムの部分断面図であり、図６は、製造装置の構成の一例を示す概略構成図である。図７は、図４に示す成形ドラムの概略側面図である。
【００２４】
まず、図３に示すように、所定の幅寸法を有するベルト６ａ、６ｂを、それぞれ成形ドラム１５の外周面に貼り付けて内外に積層する。各ベルト６ａ、６ｂは、それぞれコード１１ａ、１１ｂがベルト中心線Ｂ（タイヤ赤道線Ｃ）に対して傾斜して延びるように、且つ、該コード１１ａ、１１ｂが互いに逆向きに交差するように配設される。
【００２５】
次に、図４及び５に示すように、一方のベルト端部ＢＥ１からベルト中央部ＢＣにわたる領域に、リボン材Ｓ１（前記第１のリボン材に相当する。）を周方向に沿ってらせん状に巻き付ける（前記第１の巻き付け工程に相当する。）。更に、他方のベルト端部ＢＥ２からベルト中央部ＢＣにわたる領域に、リボン材Ｓ２（前記第２のリボン材に相当する。）を周方向に沿ってらせん状に巻き付け（前記第２の巻き付け工程に相当する。）、ベルト層６を覆うようにベルト補助層７を形成する。以下、このベルト補助層７を形成する工程について詳述する。
【００２６】
リボン材Ｓ（リボン材Ｓ１、Ｓ２）は、例えば図６に示す装置を用いて成形ドラム１５に巻き付けることができる。リボン材Ｓは、巻き付け装置１７より成形ドラム１５に供給され、その巻き付け始端が成形ドラム１５の外周側に固定された状態で、成形ドラム１５を巻き付け装置１７に対してドラム軸方向に相対移動させながらＲ方向に回転させることにより巻き付けられる。巻き付け装置１７の駆動、成形ドラム１５の回転及び移動は、制御装置１８により制御され、リボン材Ｓの巻き付けピッチや周方向に対する傾斜角度が適宜に調節される。
【００２７】
図４に示すように、本実施形態では、リボン材Ｓ１の巻き付け始端Ｅ１がベルト中心線Ｂ近傍に固定された後、ベルト端部ＢＥ１に向かってらせん状に巻き付けられて、巻き付け終端Ｅ２がベルト端部ＢＥ１近傍に固定される。続いて、リボン材Ｓ２の巻き付け始端Ｅ３がベルト中心線Ｂ近傍に固定された後、ベルト端部ＢＥ２に向かってリボン材Ｓ１と逆向きのらせん状に巻き付けられて、巻き付け終端Ｅ４がベルト端部ＢＥ２近傍に固定される。このとき、リボン材Ｓ２は、その巻き付けピッチや周方向に対する傾斜角度が略同じになるように、ベルト中心線Ｂに関してリボン材Ｓ１と略対称に配される。なお、本発明では、各リボン材Ｓ１、Ｓ２を、ベルト端部ＢＥ１、ＢＥ２近傍からベルト中央部ＢＣに向けて巻き付けても構わない。
【００２８】
本実施形態では、両リボン材Ｓ１、Ｓ２のベルト中央部ＢＣ側の巻き付け端Ｅ１、Ｅ３が、互いに重なることなく、それぞれベルト中心線Ｂ上に配されたうえで、上記のように略対称に巻き付けられている。これにより、ベルト補助層７のベルト中央部ＢＣでの膨らみ又はへこみが抑制され、タイヤのユニフォミティ向上に寄与しうる。なお、リボン材Ｓ２の巻き付けは、リボン材Ｓ１の巻き付けに用いた巻き付け装置１７を用いて行うことが好ましい。これにより、各リボン材Ｓ１、Ｓ２を同一のテンションで巻き付けることができ、タイヤのユニフォミティをより効果的に向上することができる。
【００２９】
両リボン材Ｓ１、Ｓ２は、ベルト端部ＢＥ１、ＢＥ２近傍で幅方向に一部重ねながら巻き付けられており、かかる密巻きによって高速走行時のベルト端部のせり上がりが効果的に抑制される。本発明では、図５に示すように、密巻きする領域のベルト中央部側端ＣＥが、ベルト中心線Ｂからベルト端部ＢＥ１、ＢＥ２に向かってベルト半幅ＨＷの５０〜９０％の位置、より好ましくは６０〜８０％の位置に配されている。これが、５０％未満の位置であると、上記構成によるユニフォミティの改善代が小さくなる傾向にある。また、９０％を越える位置であると、ベルト端部のせり上がりを抑制する効果が小さくなる傾向にある。
【００３０】
本実施形態では、密巻きされる領域よりベルト中央部ＢＣ側で、各リボン材Ｓ１、Ｓ２が幅方向に間隔ｄを設けながら巻き付けられている。これにより、リボン材の巻き付けに要する時間を短縮して生産性を向上しうるとともに、側面を突き合わせて巻き付ける方法に比べて制御が容易となる。間隔ｄとしては１〜５ｍｍが例示され、本実施形態の間隔ｄは一律に２ｍｍである。
【００３１】
各リボン材Ｓ１、Ｓ２は、ベルト端部近傍の巻き付け端Ｅ２、Ｅ４を含む２周分を、それぞれ周方向に平行に巻き付けられており、これによってベルト端部のせり上がりがより効果的に抑制される。このように、本発明は、リボン材を折り返し積層して巻き付けるものではないので、各リボン材Ｓ１、Ｓ２をより正確に対称的に配することができるとともに、巻き付け動作が簡易化されて制御が容易となる。
【００３２】
本実施形態では、図７に示すように、各リボン材Ｓ１、Ｓ２が巻き付けられる円周面上で、リボン材Ｓ１の巻き付け始端Ｅ１と巻き付け終端Ｅ２、及び、リボン材Ｓ２の巻き付け始端Ｅ３と巻き付け終端Ｅ４が、それぞれ９０°ずらして配されており、各巻き付け端Ｅ１〜Ｅ４がずらし角９０°で均等に配されている。これにより、各巻き付け端Ｅ１〜Ｅ４が周方向で偏在することなく、タイヤのユニフォミティが効果的に向上する。なお、かかる効果は、各巻き付け端Ｅ１〜Ｅ４を円周面上の異なる象限に配することにより得られ、各巻き付け端のずらし角は上記に限られるものではない。
【００３３】
ベルト補助層７を形成した後は、以下に例示するように、従来の製造方法と同様にして空気入りタイヤを製造することができる。即ち、まず、形成したベルト補助層７の外周にトレッドゴム８を配設し、これらとベルト層６とが一体化された円筒状ベルト部材を形成する。次に、ビード１ａを介して端部を巻き返された円筒状のカーカスプライ９を、前記円筒状ベルト部材に内挿し、ビード１ａの間隔を狭めながらカーカスプライ９の中央部を膨出変形させ、カーカスプライ９の外周に前記円筒状ベルト部材を固着一体化する。そして、所定のゴム部材を適宜貼り付けてグリーンタイヤを成形し、加硫用モールドにセットして加硫処理を施す。本発明では、ベルト補助層７の締め付けベクトルの左右のバランスが確保されるため、加硫リフト時にベルト層６の左右のバランスが崩れることがなく、タイヤのユニフォミティを向上することができる。
【実施例】
【００３４】
以下、本発明の構成と効果を具体的に示す実施例について説明する。
【００３５】
（１）ＲＦＶ
ＪＩＳＤ４２３３に規定する試験方法に基づいて、ＲＦＶ（ラジアルフォースバリエーション）を測定し、タイヤのユニフォミティを評価した。具体的には、空気圧２００ｋＰａとしたタイヤを荷重６５０Ｎが負荷されるように回転ドラムに押し付け、両軸間隔を一定に保持しながらタイヤを回転させたときに発生する半径方向の力の変動量を測定した。サンプル数は１２とし、その平均値により評価した。変動量が小さいほどユニフォミティに優れていることを示す。
【００３６】
（２）ＬＦＶ
ＪＩＳＤ４２３３に規定する試験方法に基づいて、ＬＦＶ（ラテラルフォースバリエーション）を測定し、タイヤのユニフォミティを評価した。具体的には、空気圧２００ｋＰａとしたタイヤを荷重６５０Ｎが負荷されるように回転ドラムに押し付け、両軸間隔を一定に保持しながらタイヤを回転させたときに発生するタイヤ横方向の力の変動量を測定した。サンプル数は１２とし、その平均値により評価した。変動量が小さいほどユニフォミティに優れていることを示す。
【００３７】
上記試験に供したタイヤは、タイヤサイズが２２５／７０Ｒ１６  １０１Ｓであって、リボン材をタイヤ周方向に沿って巻き付けてなるベルト補助層を備えるものとした。リボン材は、厚み０．８７ｍｍ、幅１４ｍｍの断面矩形状とし、１リボン材中に９４０ｄｔｅｘ／２のナイロンコードが１０本並列したものを使用した。
【００３８】
従来例
ベルト端部の一方から他方に向けて、１本の連続したリボン材を周方向に沿ってらせん状に巻き付けてベルト補助層を形成した。リボン材は、幅方向に一律２ｍｍの間隔を設けながら巻き付けられ、各ベルト端部近傍では３０ｍｍ折り返し積層してなる２層構造を形成した。なお、ベルト補助層以外は、前述の実施形態で示したタイヤ構造とした。
【００３９】
比較例、実施例１〜５
前述の実施形態で示したように、２本の独立したリボン材を互いに逆向きにらせん状に巻き付け、ベルト中心線に関して略対称に配してベルト補助層を形成した。密巻きした領域のベルト中央部側端の位置は、それぞれ表１に示すとおりである。各リボン材の巻き付け始端と巻き付け終端とは略同じ位置で固定し、巻き付け始端がリボン材間で１８０°ずれるように配した。但し、実施例４については、各リボン材の巻き付け始端と巻き付け終端とのずらし角を９０°とし、４つの巻き付け端を周方向に均等に配した。結果を表１に示す。
【００４０】
【表１】
0004708125.tif 000002
【００４１】
表１に示すように、実施例は、従来例や比較例に比べてＲＦＶ及びＬＦＶが改善されており、リボン材を対称的に巻き付けた場合において、密巻きする領域のベルト中央部側端を所定の範囲内に配することにより、タイヤのユニフォミティを効果的に向上しうることが分かる。また、実施例４は、実施例３に比べてＲＦＶが大きく改善されており、巻き付け端を周方向に均等に配した効果が認められる。
【図面の簡単な説明】
【００４２】
【図１】本発明により製造される空気入りタイヤの一例を示す子午線断面図
【図２】リボン材の断面図
【図３】本発明に係る空気入りタイヤの製造方法を説明する正面図
【図４】本発明に係る空気入りタイヤの製造方法を説明する正面図
【図５】成形ドラムの部分断面図
【図６】製造装置の構成の一例を示す概略構成図
【図７】成形ドラムの概略側面図
【符号の説明】
【００４３】
４      カーカス層
６      ベルト層
７      ベルト補助層
１０    コード
１５    成形ドラム
１７    巻き付け装置
Ｂ      ベルト中心線
ＢＣ    ベルト中央部
ＢＥ１  ベルト端部
ＢＥ２  ベルト端部
Ｃ      タイヤ赤道線
ＣＥ    密巻きする領域のベルト中央部側端
Ｅ１    巻き付け始端
Ｅ２    巻き付け終端
Ｅ３    巻き付け始端
Ｅ４    巻き付け終端
ＨＷ    ベルト半幅
Ｓ      リボン材
Ｓ１    第１のリボン材
Ｓ１    第２のリボン材
【図１】
0004708125.tif 000003
【図２】
0004708125.tif 000004
【図３】
0004708125.tif 000005
【図４】
0004708125.tif 000006
【図５】
0004708125.tif 000007
【図６】
0004708125.tif 000008
【図７】
0004708125.tif 000009